(57)【特許請求の範囲】
【請求項１】
レンズを保持するレンズ鏡筒と、前記レンズ鏡筒の撮影可能状態と収納状態とのに切り替えにともなって開状態と閉状態の間を移動するバリア駆動部材と、第１の羽根部を備え、前記バリア駆動部材に連動して開閉する１対の第１のバリア羽根と、第２の羽根部と、被写体側から見て前記レンズの外側に位置して前記第２の羽根部に対して前記第１のバリア羽根の側にある接合部とを備え、前記接合部と第１のバリア羽根の摺動部とが当接することにより閉じ方向に移動される１対の第２のバリア羽根とを有する鏡筒であって、
前記第１のバリア羽根は、第１の支持部と、前記第１の支持部と前記第１の羽根部の間に設けられた第１の段差部とを備え、前記第１の支持部は前記第１の羽根部に対して光軸方向に像面側に位置しており、
前記第２のバリア羽根は、第２の支持部と、前記第２の支持部と前記第２の羽根部の間に設けられた第２の段差部とを備え、前記第２の支持部は前記第２の羽根部に対して光軸方向に像面側に位置しており、
前記第１のバリア羽根及び前記第２のバリア羽根が閉じた閉状態において、光軸方向に被写体側から順に前記接合部、前記摺動部、前記第２の支持部、前記第１の支持部が重ねられて配置されていることを特徴とする鏡筒。
【請求項２】
前記接合部の先端は、９０度以上１８０度未満に折り返されており、前記第２のバリア羽根が閉じ位置にあるとき前記第１のバリア羽根の先端の光軸方向への振れ止めとして機能している請求項１に記載の鏡筒。
【請求項３】
前記バリア駆動部材及び前記第１のバリア羽根は、前記バリア駆動部材を開き方向に前記第１のバリア羽根を閉じ方向に引っ張るバリア駆動バネを用いて開状態と閉状態の間を移動する請求項１又は２に記載の鏡筒。
【請求項４】
請求項１〜３のいずれか１項に記載の鏡筒を組み込んだ撮像装置。
【発明の詳細な説明】
【技術分野】
【０００１】
本発明はカメラなど撮像装置の、撮影レンズを保護するために、撮影レンズ前面を開閉可能に設けたバリア羽根を備えた鏡筒に関するものある。
【背景技術】
【０００２】
携帯時にはコンパクトに鏡筒を収納させ、使用時には鏡筒を伸ばして、撮影レンズを適正な位置に動かす沈胴式カメラでは、収納位置ではレンズ前面を覆い、使用時にはレンズ前面から退避するレンズバリア機構が様々な構成で提案されている。
【０００３】
これらのバリア機構では、レンズ全面を有効に覆うため、光学系の有効光路範囲と鏡筒の径によってバリアを構成するバリア羽根の枚数が選択されてきた。
これは鏡筒径と光学系の有効光路範囲の差の羽根収納部に収納できる羽根の寸法に限界が有るためで、同じ鏡筒径の場合、光学系の有効光路範囲が大きいほど多くのバリア羽根を必要としてきた。
【０００４】
そしてバリア羽根は左右に点対称に一対設け、光学系の有効光路範囲を半分ずつ覆うのが一般的である。
しかしユーザーの求めるズームレンズが、高倍率化とワイド端側の短焦点化を指向しており、レンズ前面の有効光路範囲の拡大と、バリアが占める光軸方向のスペースでの光路範囲の拡大が著しくなってきている。
【０００５】
その結果、バリアを構成する羽根の数を増やしても、枚数が増えて光軸方向に厚くなってしまう。そうすると、光軸方向のスペースで、有効光路が拡大し、羽根収納部が狭くなることで羽根の数を増した効果が低減され、バリアの光軸方向のスペースが極端に厚くなるという結果を招くことになった。
【０００６】
そこで、焦点距離の短い広角系のレンズのバリアとしてバリアを薄型化しコンパクト化する技術が特許文献１に示されている。
【先行技術文献】
【特許文献】
【０００７】
【特許文献１】特開２００７−１０２０８６号公報
【発明の概要】
【発明が解決しようとする課題】
【０００８】
上述の特許文献１に開示された従来技術では、一番移動量の多い羽根を一番撮影レンズに近い側に配置し、２番目の羽根は閉じ側、開き側の双方で、一番移動量の多い羽根に押される一組の伝達部を設けている。
【０００９】
そして３番目の羽根は閉じ側、開き側の双方で、２番目の羽根に押される一組の伝達部を設けている。
そして、一番移動量の多い羽根と３番目の羽根を金属の板とし薄型化している。
【００１０】
しかし、伝達部として一番移動量の多い羽根に、光軸方向でレンズと反対方向への立ち曲げを設ける。また、３番目の羽根に光軸方向でレンズ方向（撮像面方向）への立ち曲げ部を設ける。そして、この立曲げ部を使って伝達部を構成するため２番目の羽根はプラスティックで成型したモールドの部品となり、やや厚い構成となっている。
【００１１】
これは、一番移動量の多い羽根や２番目の羽根のいずれかに、光軸方向でレンズ方向（撮像面方向）への立ち曲げを設けられているからである。つまり、この立ち曲げがレンズの上を通過するとレンズに傷をつけてしまう恐れがあるため、投影面上でレンズ上面と重なる範囲には立ち曲げが設けられないからである。
【００１２】
そのため上述の特許文献１に開示された従来技術では、２番目の羽根はプラスティックで成型したモールドでの構成になってしまっている。
【課題を解決するための手段】
【００１３】
上記目的を達成するために、本発明の鏡筒は、レンズを保持するレンズ鏡筒と、前記レンズ鏡筒の撮影可能状態と収納状態とのに切り替えにともなって開状態と閉状態の間を移動するバリア駆動部材と、第１の羽根部を備え、前記バリア駆動部材に連動して開閉する１対の第１のバリア羽根と、第２の羽根部と、被写体側から見て前記レンズの外側に位置して前記第２の羽根部に対して前記第１のバリア羽根の側にある接合部とを備え、前記接合部と第１のバリア羽根の摺動部とが当接することにより閉じ方向に移動される１対の第２のバリア羽根とを有する鏡筒であって、
前記第１のバリア羽根は、第１の支持部と、前記第１の支持部と前記第１の羽根部の間に設けられた第１の段差部とを備え、前記第１の支持部は前記第１の羽根部に対して光軸方向に像面側に位置しており、
前記第２のバリア羽根は、第２の支持部と、前記第２の支持部と前記第２の羽根部の間に設けられた第２の段差部とを備え、前記第２の支持部は前記第２の羽根部に対して光軸方向に像面側に位置しており、
前記第１のバリア羽根及び前記第２のバリア羽根が閉じた閉状態において、光軸方向に被写体側から順に前記接合部、前記摺動部、前記第２の支持部、前記第１の支持部が重ねられて配置されている。
【発明の効果】
【００１４】
本発明によれば、複数の重なりあったバリア羽根をバリア羽根から撮像面側への立ち下げと羽根の厚さを利用した係止部で連動させることで薄型化を可能としている。
【図面の簡単な説明】
【００１５】
【図１】バリア機構の分解斜視図である。
【図２】バリア全閉状態を示す正面図である。
【図３】バリア開き始めの状態を示す正面図である。
【図４】バリア全開状態を示す正面図である。
【図５】バリア駆動バネのチャージ量変化を示す図である。
【図６】バリア羽根の詳細図である。
【図７】別のバネの掛け方を示す図である。
【図８】バリア羽根の動きを示す詳細図である。
【図９】バリア羽根の煽り止めを示す図である。
【図１０】３枚バリア羽根を示す図である。
【図１１】先端部、中心部の拡大断面図である。
【発明を実施するための形態】
【００１６】
以下に、本発明の好ましい実施の形態を、添付の図面に基づいて詳細に説明する。
【実施例１】
【００１７】
＜本発明を実施したときのバリア装置の概略について＞
図１、２、３、及び図４を用いて、本発明を実施したときのカメラに組み込まれるバリア装置の概略を説明する。
【００１８】
図１は、本発明の実施形態にかかわるバリア機構の分解斜視図である。図２は、バリア全閉状態を示す正面図、図３はバリア開き始めの状態を示す正面図、図４はバリアの開状態を示す正面図である。バリア機構を有し収納状態から繰り出して撮影状態となったとき鏡筒の先端部に位置するのがレンズ鏡筒３である。レンズ鏡筒３は、撮影可能状態と収納状態とに切り替え可能であって、図４は、レンズ鏡筒３が撮影可能状態にあるときのバリアの状態である。レンズ鏡筒３の先端にバリア機構が構成されている。撮影レンズ４はズームレンズを構成するレンズ群の一つで、その一番前方に位置するレンズである。ズームレンズを構成するレンズ群の後方に図示しない撮像素子がある。レンズ鏡筒３は、撮影レンズ４を保持しており、撮影レンズ４と一体に光軸方向１に沿って収納し、また繰出しをする。レンズ鏡筒３にはバリア機構を構成するバリア羽根７、８の回転軸となる回転軸３ａと、バリア羽根８を介してバリア羽根７の開き方向の回転を規制するストッパー３ｂが設けられている。ストッパー３ｂはレンズ鏡筒３にバリアカバー１０を固定する両面粘着テープで構成したバリアカバー固定部材９の貼り付け場所も兼ねている。
【００１９】
レンズ鏡筒３にはストッパーを兼ねないバリアカバー固定部材９の貼り付け場所３ｃが設けられている。図１で示したバリアカバー固定部材９は粘着層９ａと粘着層９ａをレンズ鏡筒３に張り付けた後、粘着層９ａを残して取り除く台紙部９ｂが示してある。台紙部９ｂは張り付け作業の作業性を良くするためと、粘着層９ａの位置が正確に保てるようにするため用いている。
【００２０】
レンズ鏡筒３の内側には、レンズ鏡筒３の回転を規制する直進筒２が配置されている。レンズ鏡筒３の収納状態と撮影可能との切り替えに伴い、レンズ鏡筒３は直進筒２に対し、光軸方向１に相対移動する。撮影状態ではレンズ鏡筒３は直進筒２に対し繰り出し、間隔が開く。収納状態では、レンズ鏡筒３は直進筒２に対し繰り込み、間隔が狭まる。
【００２１】
直進筒２には、バリアを閉じるためのカム面２ａが設けられている。レンズ鏡筒３の先端には、回動可能に軸支されたバリア羽根７、８と、バリア羽根７、８を駆動するバリア駆動部材５、撮影用開口部１０ａが形成されたバリアカバー１０が設けられている。レンズ鏡筒３が収納されているときには、バリア羽根７、８が撮影用開口部１０ａを覆い撮影レンズ４を保護する。
【００２２】
バリアカバー１０はバリアカバー固定部材９によってレンズ鏡筒３に接着固定される。バリア駆動部材５はレンズ鏡筒３に対し光軸を中心に回動可能に支持されている。
そして、バリア駆動部材５には、直進筒２に設けたれカム面２ａがバリアを閉じるために押すカム面５ａが形成されている。バリア駆動部材５にはバリア羽根７の裏面が撮影レンズ４に触れないように回転させるためのレール５ｅが設けられている。バリア駆動部材５には半径方向に伸びたバネ掛け５ｄが有る。
【００２３】
半径方向に腕が伸びているので、光軸方向の位置が安定して管理できる。このバネ掛けにバリア駆動バネ６の一端をかける。このときバリア駆動バネ６が少し斜めに掛かるようバリア羽根７に設けるバネ掛けより、少し低い位置にこのバネ掛け５ｄを設けている。バリア駆動部材５とレンズ鏡筒３の間にバリア開きバネを用いるとき、バリア駆動バネ６は羽根閉じのバネとなる。この場合バリア駆動バネ６はバリア羽根７、８が閉じる方向にレンズ鏡筒３とバリア羽根７の間に設けてもよい。
【００２４】
羽根に異物が挟まるなどの異常動作の吸収をバリア駆動部材５とバリア羽根７以外の部分で行う場合バリア駆動部材５とバリア羽根７の結合はギア結合や軸と長穴といった吸収機構のない直接結合であってもよい。
バリア羽根７は撮影レンズ４の一番近くに配置された回転移動量の一番多い羽根で金属製の薄い板で構成している。
【００２５】
＜バリア羽根７、８の詳細について＞
バリア羽根７、８の詳細を図６に示す。１対のバリア羽根７にはレンズ鏡筒３の回転軸３ａに取り付ける回転穴７ｂを設けた支持部７ｃの平面がある。支持部７ｃは撮影レンズ４の外形の外で回転運動する部分で横から見ると撮影レンズ４に重なる位置にある。支持部７ｃの直角方向に立ち上げた段差部７ｄが有り段差部７ｄも撮影レンズ４の外形の外で回転運動する。
【００２６】
段差部７ｄには撮影レンズ４の前方を含む領域で回転運動する羽根部７ｅが接続している。羽根部７ｅは支持部７ｃと平行な平面である。段差部７ｄを設けることで支持部７ｃの回転穴７ｂはレンズ鏡筒３の回転軸３ａの奥まで、光軸方向の厚みを増すことなく入りこむことができる。したがって、衝撃などでバリアカバー１０が浮き上がり、バリア羽根７が抜け方向に多少浮いたとしても、軸からバリア羽根７が抜けるといった事態は起こりにくい。
【００２７】
羽根部７ｅの裏面はバリア駆動部材５に設けたレール５ｅを摺動する。レール５ｅを摺動することで、バリア羽根７の羽根部７ｅの裏面は撮影レンズ４に触れないように回転することができる。
羽根部７ｅにはバリア羽根８との間隔を保つための摺動部７ｆと摺動部７ｇとが有る。摺動部７ｇは、羽根先端部の閉じ駆動部を兼ねている。閉じ駆動部を兼ねた摺動部７ｇは投影面上で撮影レンズ４に重ならない位置にあり、レンズを挟んで回転穴７ｂの反対側にある。したがって、摺動部７ｇは撮影レンズ４と光軸方向に重なった位置に位置している。この閉じ駆動部を兼ねた摺動部７ｇは、バリア羽根７が閉じ動作を行うとき、バリア羽根８の一部を押してバリア羽根８を閉じ方向に駆動する。
【００２８】
さらにバリア羽根７には、バリア羽根８の一部を押してバリア羽根８を開き方向に駆動する開き駆動部７ｈが有る。開き駆動部７ｈは羽根部７ｅのエッジの一部である。
支持部７ｃの一部からフック部７ａの折り曲げが出ている。フック部７ａはバリア駆動バネ６を取り付けるフックで、直角よりも大きく曲げ、バリア駆動バネ６の取付け部が支持部７ｃの裏面に密着し、安定するように構成している。
【００２９】
図１に戻って、バリア羽根７とバリア駆動部材５の間には、引張りコイルバネがバリア駆動バネ６として設けられている。バリア駆動バネ６はバリア羽根７がバリア駆動部材５に当接する方向に付勢しており、これによってバリア駆動部材５の回動とバリア羽根７の開閉が連動する。
【００３０】
バリア羽根８は２番目の羽根で、バリア羽根７の上に乗っている。バリア羽根８は閉じ側、開き側の双方で、バリア羽根７に押される一組の伝達部を設けている。したがって、バリア羽根７が閉じればバリア羽根８も閉じ、バリア羽根７が開けばバリア羽根８も開く。なお、バリア羽根８もバリア羽根７と同様に金属製の薄い板で構成している。
【００３１】
再び図６を用いてバリア羽根８の詳細を示す。一対のバリア羽根８にも、レンズ鏡筒３の回転軸３ａに取り付ける回転穴８ｂを設けた支持部８ｃの平面がある。
支持部８ｃは撮影レンズ４の外形の外で回転運動する部分で横から見ると撮影レンズ４に重なる位置にある。支持部８ｃの直角方向に立ち上げた段差部８ｄが有り段差部８ｄも撮影レンズ４の外形の外で回転運動する。
【００３２】
段差部８ｄには撮影レンズ４の前方を含む領域で回転運動する羽根部８ｅが接続している。羽根部８ｅは支持部８ｃと平行な平面である。羽根部８ｅの裏面はバリア羽根７に設けた摺動部７ｆと閉じ駆動部を兼ねた摺動部７ｇを摺動する。摺動部７ｇを摺動することで、バリア羽根８の羽根部８ｅの裏面は、バリア羽根７の羽根部７ｅに触れないように回転し傷をつけない。
【００３３】
羽根部８ｅにはバリアカバー１０との間隔を保つための摺動部８ｆが有る。また、羽根先端部には、閉じ駆動力を受ける閉じ接合部８ｇが被写体側から見てレンズ部４の外側に有る。閉じ接合部８ｇは羽根部８ｅからバリア羽根７の側に曲げたところに位置する。閉じ接合部８ｇは９０度以上１８０度未満に折り返されている。閉じ接合部８ｇからさに、抱き込み部８ｈがある。閉じ接合部８ｇは、閉じ駆動部を兼ねた摺動部７ｇが当接するように設けた平面部である。抱き込み部８ｈは、閉じ接合部８ｇから更に曲がった位置にある。羽根部８ｅからＶの字形状に曲がっている。閉じ接合部８ｇと抱き込み部８でｈと羽根部８ｅがＶの字形状になっており、閉じ駆動部を兼ねた摺動部７ｇを抱え、バリア羽根７が煽られないようにする。これにより、バリア羽根８が閉じ位置にあるときバリア羽根７の先端の光軸方向への振れ止めをする。閉じ接合部８ｇと抱き込み部８ｈは投影面上で撮影レンズ４に重ならない位置にあり、レンズを挟んで回転穴８ｂの反対側にある。そしてバリアが閉じた位置では、閉じ接合部８ｇと抱き込み部８は、対をなす反対側の羽根の支持部８ｃと投影面上で重なっている。
【００３４】
閉じ駆動部を兼ねた摺動部７ｇは、バリア羽根７が閉じ動作を行うとき、バリア羽根８の閉じ接合部８ｇを押してバリア羽根８を閉じ方向に駆動する。
【００３５】
それと同時にＶの字形状に曲がる抱き込み部８ｈがバリア羽根７の煽りを止める。抱き込み部８ｈはＶの字形状に開いているので、バリア羽根７の閉じ駆動部を兼ねた摺動部７ｇを確実に捕捉し、ずれて行き違うことはない。羽根部８ｅの後端にバリア羽根８の開き接合部８ｉが有る。開き接合部８ｉは羽根部８ｅから直角に折れ曲がっており、動作範囲は、投影面上で撮影レンズ４と重ならない。
【００３６】
開き駆動部７ｈは、バリア羽根７が開き動作を行うとき、バリア羽根８の開き接合部８ｉを押してバリア羽根８を開き方向に駆動する。バリア羽根８の支持部８ｃからは、バリア羽根８のあおりを防止する煽り止め８ｊも出ておりバリアカバー１０との間隔を保つための摺動部８ｆも設けている。
【００３７】
ここで図１にもどって、撮影状態で、バリア羽根７が開くときのバリア駆動部材５の位相を「バリア開き位相」と称する。また、レンズ鏡筒３が収納してバリア羽根７が閉じるときのバリア駆動部材５の位相を「バリア閉じ位相」と称する。
【００３８】
バリア駆動部材５と直進筒２には、それぞれカム面２ａ、５ａが形成されているので、レンズ鏡筒３が収納するとカム面２ａとカム面５ａが当接し、バリア駆動バネ６をチャージしながらバリア駆動部材５を矢印Ａ方向に強制的に回動させる。バリア駆動部材５が「バリア閉じ位相」まで回動するとバリア羽根７，８を閉じる。
【００３９】
レンズ鏡筒３が繰出すと、当接しているカム面２ａとカム面５ａが離れ、バリア駆動バネ６のチャージを開放しながらバリア駆動部材５が矢印Ｂ方向に回動する。バリア駆動部材５が「バリア開き位相」まで回動するとバリア羽根７，８を開く。
【００４０】
バリア駆動部材５には半径方向に伸びたバネ掛け５ｄが有る。半径方向に腕が伸びているので、光軸方向の位置が安定して管理できる。このバネ掛け５ｄにバリア駆動バネ６の一端をかける。
【００４１】
＜バリアの動作、及びバリア駆動バネのチャージ量について＞
次に、図１、及び図２から図５を用いて、バリアの動作、及びバリア駆動バネのチャージ量について説明する。なお、図２から図４では、本実施例を詳しく説明するため、バリア羽根８を取り除いた状態で説明する。
【００４２】
図２は収納状態におけるバリアの閉状態を示す正面図である。図２は、レンズ鏡筒３が収納状態にあるときのバリアの状態である。
図２において、バリア羽根７はバリア駆動バネ６の張力により矢印Ｃ方向に付勢されている。収納状態では、このバリア駆動バネ６の付勢力によって、バリア羽根７は閉じ状態に維持されている。
【００４３】
またバリア駆動部材５は、バリア駆動バネ６の張力により、図１に記載の矢印Ｂの回転方向に付勢されている。収納状態においては、直進筒２に形成されたカム面２ａの作用により、矢印Ｂ方向への回動が規制されている。このとき、バリア駆動バネ６のチャージ量は図５に示す全閉の状態となる。
【００４４】
図３はレンズ鏡筒３がわずかに繰出して、バリア羽根７が開き始める状態を示す正面図である。この状態では、収納状態に比べてバリア駆動部材５と直進筒２が相対移動しているため、直進筒２のカム面２ａによってバリア駆動部材５は図１中の矢印Ｂ方向にわずかに回動しており、当接部５ｂにてバリア羽根７に当接している。このとき、バリア駆動バネ６のチャージ量は図５に示す全閉の状態よりも減少している。
【００４５】
図４はレンズ鏡筒３がさらに繰出して、バリア羽根７が全開となった状態を示す正面図である。この状態では、バリア駆動部材５のカム面５ａと直進筒２のカム面２ａが完全に離れている。そのため、バリア駆動部材５は矢印Ｂ方向にさらに回動し、「バリア開き位相」となり、バリア駆動バネ６のチャージ量は図５に示す全開の状態となる。
【００４６】
バリア羽根７はバリア駆動部材５との当接部５ａで開き方向に押されているが、バリア羽根先端がレンズ鏡筒３に設けられたストッパー３ｂに当接することで、開き方向への回動が規制されている。
【００４７】
＜別のバネの掛け方との比較について＞
ここで別のバネの掛け方を、図７を用いて説明する。
【００４８】
図７で示すように、バリア羽根１４の回転軸１４ｃと、バリア羽根１４に設けたバリア駆動バネのフック部１４ｂは、径方向へ距離Ｌ４を設けている。そのため、バリア羽根１４には回転軸１４ｃを中心に回転力が働くが、径方向へ距離Ｌ４を設けている分、鏡筒の径が大きくなってしまう。また、鏡筒径を小さくするため距離Ｌ４を短くすると、バリア羽根１４に効率よく回転力を与えることができない。
【００４９】
そこで、バリア駆動バネ６に変局点６ａを設けることで、バリア駆動バネ６の力を強制的に図２〜図４中の矢印Ｃ方向へ働かせている。バリア駆動バネ６に変局点６ａをもたらす形状は、バリア駆動部材５に設けているが、バリア駆動バネ６に変局点６ａを持たせられれば、その場所、部品は問わない。
【００５０】
また、バリア駆動バネ６に変局点６ａを持たせる方法としてバリア駆動部材５に半円状の突起部５ｃをもたせているが、バリア駆動バネ６に変局点６ａを持たせられればその方法、形状は問わない。
【００５１】
ここで、バリア駆動バネ６はバリア羽根７の開閉動作中常にバリア駆動部材５に設けた突起部５ｃと当接している。そのため、バリア羽根７の開閉状態にかかわらず、バリア駆動バネ６の力を効率よく矢印Ｃ方向へ向けさせることができるため、バリア羽根７の開閉動作を安定させることが可能となる。また、回転軸３ａとフック部７ａの距離が径方向になくても、効率よく矢印Ｃ方向へ力を働かせることができるため、鏡筒径を短縮させることができ、鏡筒を小型化が可能となる。
【００５２】
＜バリアの羽根の動きについて＞
次に図８を用いてバリアの羽根の動きを説明する。図８（ａ）はバリアが閉じた図、図８（ｂ）は開きかけの図、図８（ｃ）はバリアが開いた図である。
【００５３】
バリアが閉じた図８（ａ）では、閉じ駆動部を兼ねた摺動部７ｇが閉じ接合部８ｇを押しバリア羽根７，８とも閉じた位置にある。そして羽根部８ｅから立ち下がった閉じ接合部８ｇ、抱き込み部８ｈ、は対をなす反対側のバリア羽根７，８の支持部７ｃ、８ｃの上に来ている。
【００５４】
立ち下がり部は、撮影レンズ４を避けた位置で、かつ相手側の上方向に配置する。これにより、接合部の係りを十分に取ることができており、バリアを薄くし鏡筒径を小さく保つことに役立っている。図１１に閉じ駆動部を兼ねた摺動部７ｇ、接合部８ｇ、抱き込み部８ｈ、反対側のバリア羽根７，８の支持部７ｃ、８ｃの拡大図を示す。
バリアが開きかけの図８（ｂ）ではバリア羽根７は開き方向に半分動いている。一方、まだ、バリア羽根８は動いていない。
【００５５】
この図８（ｂ）のタイミングは、バリア羽根７の開き駆動部７ｈが、まさにバリア羽根８の開き接合部８ｉを押そうとしているタイミングである。バリア羽根８の開き接合部８ｉが投影面上の撮影レンズ４の外に配置しているため開き接合部８ｉの立ち下がりの量が十分取れ、駆動部７ｈと開き接合部８ｉがずれて開き力が伝わらないといった事故は起こらない。
【００５６】
バリアが開いたのが図８（ｃ）で、バリア羽根７も、バリア羽根８も開き位置に来ている。そしてバリア羽根７の開き駆動部７ｈが、バリア羽根８の開き接合部８ｉを押してバリア羽根７の回転はバリア羽根８の開き接合部８ｉを介して図示しないストッパー３ｂによって回転が止められている。
【００５７】
このように構成することでバリア羽根７がバリアカバー固定部材９によって接合するバリアカバー１０とストッパー３ｂの隙間に潜り込むことが防止できる。
【００５８】
このように、バリア羽根８に光軸方向でレンズ方向（撮像面方向）への立ち曲げを設け、この立ち曲げが、投影面上でレンズ上面と重なる範囲に入らないようにし、バリア羽根７がバリア羽根８を閉じ方向に押す閉じ接合部８ｇ設けることで、バリアを薄くしている。
【００５９】
そして、１対の羽根の支持部７ｃと閉じ駆動部を兼ねた摺動部７ｇ、支持部８ｃと閉じ接合部８ｇを、支持部７ｃや支持部８ｃに段差を設けて低くし、投影面上で重ねることでバリアを薄くし、鏡筒径を小さくしている。
【００６０】
閉じ接合部８ｇと抱き込み部８ｈ、開き接合部８ｉの二つの立ち曲げが、光軸方向にレンズ側に向かっているので、バリア羽根を覆い鏡筒最先端の開口部を形成するバリアカバーも立ち曲げの逃げを設ける必要がない。そのため、バリアカバー１０も金属の板を絞り加工したもので構成できるので、薄いバリア構成が可能となる。
【００６１】
＜バリア羽根の煽り止めについて＞
図９はバリア羽根の煽り止めを示す図である。
【００６２】
バリア羽根７はレンズ鏡筒３に設けた回転軸３ａを回転穴７ｂに入れて回動自在に取り付けている。そして、バリア羽根７の支持部７ｃから折り曲げたフック部７ａとバリア駆動部材５から半径方向に伸びたバネ掛け５ｄの間にバリア駆動バネ６が掛けられている。バリアが閉じたときバリア駆動バネ６は一番伸びたチャージされた状態になっている。したがって、バリア駆動バネ６は、バリア羽根７の回転穴７ｂともう一方のストッパーとなる羽根先端を結ぶ線を中心にバリア羽根７回転力を与えることになる。
【００６３】
バリア羽根７の回転穴７ｂと羽根先端を結ぶ線は傾いている。しかしフック部７ａの位置は回転穴７ｂに近く、羽根先端に遠いので実質的には回転穴７ｂの右端を引っ張ることになる。煽りの規制がなければバネ掛け５ｄと、フック部７ａと、回転穴７ｂが一直線になるように煽ろうとする。フック部７ａは直角よりも大きく鋭角に曲げているので、バリア駆動バネ６の取付け部は支持部７ｃの裏面に密着し、安定している。そこで、バリア駆動部材５から半径方向に伸びたバネ掛け５ｄをフック部７ａより低い位置にすることで、バネ掛け５ｄと、フック部７ａと、回転穴７ｂが一直線上に配置でき、バリア駆動バネ６の力による力の方向のピッチ方向の煽りが発生しなくなる。
【００６４】
バリア駆動バネ６の力による力の方向のロール方向の煽りは、羽根先端の閉じ駆動部を兼ねた摺動部７ｇをバリア羽根８の閉じ接合部８ｇと抱き込み部８ｈで規制することで煽り止めをしている。
【００６５】
このように、バリアを構成するバリア羽根が、レンズを覆う部分と、レンズの外側でレンズの横に位置する回転軸部がクランク状に曲げることに起因する、バリア羽根が煽られやすくなる点は、次の対策で対処する。すなわち、バリアを閉じる方向に働くバネの力の方向のピッチ方向の煽り防止は羽根の回転軸と、バネの掛け位置と、もう一つのバネ掛けのバリア駆動部材のバネ掛け位置を一直線上に構成する。また、バリアを閉じる方向に働くバネの力の方向のロール方向の煽りは、バリア羽根８羽根先端部にある閉じ接合部８ｇと抱き込み部８ｈでバリア羽根８の抱き込み部８ｈを拘束する。
【実施例２】
【００６６】
図１０は３枚バリア羽根を示す図で羽根の構成以外に変化はないので羽根の形状を説明する。
図１０（ａ）は３枚のバリア羽根を示すバリアが閉じた図である。下からバリア羽根２１、バリア羽根２２、一番上がバリア羽根２３である。２点鎖線でバリアカバーの開口部の一部２４を示している。細線でレンズの外形２５を示している。図１０（ｂ）はバリアが開き羽根が重なった図である。下の端のバリア羽根２１は見えない。図１０（ｃ）は金属の薄い板で構成した、バリア羽根２３を示す。それぞれ、回転穴２３ｂ、回転中心部としての支持部２３ｃ、段差部２３ｄ、羽根部２３ｅ、閉じ接合部２３ｇ、開き接合部２３ｉである。説明はバリア羽根８に重複するので省略するが、閉じ接合部２３ｇ、開き接合部２３ｉはレンズ４方向への立曲げでレンズの外形２５の外にある。
【００６７】
図１０（ｄ）は金属の薄い板で構成した、バリア羽根２２を示す。それぞれ、回転穴２２ｂ、支持部２２ｃ、段差部２２ｄ、羽根部２２ｅ、閉じ接合部２２ｇ、開き接合部２２ｉである。
【００６８】
説明はバリア羽根８に重複するので省略するが、閉じ接合部２２ｇ、開き接合部２２ｉはレンズ４方向への立曲げでレンズの外形２５の外にある。バリアが閉じるとき、閉じ接合部２２ｇはバリア羽根２３の閉じ接合部２３ｇをバリア羽根２３が閉じる方向に押す。開き接合部２２ｉは、羽根の後ろだとレンズ４に当たってしまうので回転穴２２ｂから見ると、レンズ４の反対側に移動している。
【００６９】
図示していないが、抱き込み部は、閉じ接合部２２ｇに合わせて設けてあり、開き駆動部２２ｋが羽根の後ろの端面で構成している。バリアが開くとき、開き駆動部２２ｋはバリア羽根２３の開き接合部２３ｉをバリア羽根２３が開く方向に押す。
【００７０】
図１０（ｅ）は金属の薄い板で構成した、バリア羽根２１を示す。バリア羽根７と同様にフック部２１ａ、回転穴２１ｂ、支持部２１ｃ、段差部２１ｄ、羽根部２１ｅ、閉じ駆動部２１ｇ、開き駆動部２１ｈが有り、摺動部は三枚の羽根共に図では省略している。
【００７１】
バリアが閉じるとき、閉じ駆動部２１ｇはバリア羽根２２の閉じ接合部２２ｇをバリア羽根２２が閉じる方向に押す。バリアが開くとき、開き駆動部２１ｈはバリア羽根２２の開き接合部２２ｉをバリア羽根２２が開く方向に押す。
【００７２】
以上に述べたように片側が３枚で合計６枚羽根の場合でも、レンズの前は薄い金属の板で構成している。そして回転動作の伝達は投影面上でレンズ４に重ならなうようにレンズ外周に設けた上のバリア羽根からレンズ方向に折り曲げた立ち下げと下のバリア羽根の端面で行っている。さらにこの閉じ駆動用の立ち下げを、バリア羽根の回転中心部と投影面上で重ねるよう、回転軸部に段差を設けている。
【００７３】
このように、本発明によれば、複数の重なりあったバリア羽根をバリア羽根から撮像面側への立ち下げと羽根の厚さを利用した係止部で連動させることでバリアの薄型化を可能としている。そして、この立ち下げをバリアが覆う撮影レンズと、その投影面上で重ならないように構成することですべてのバリア羽根を金属の板で構成でき光軸方向に薄いバリア機構が構成可能としている。さらにこの立ち下げを、バリア羽根の回転中心部と投影面上で重ねることで、鏡筒径の小型化を達成している。
【００７４】
以上、本発明の好ましい実施形態について説明したが、本発明はこれらの実施形態に限定されず、その要旨の範囲内で種々の変形及び変更が可能である。
【符号の説明】
【００７５】
１  光軸
２  直進筒
２ａ  カム面
３  レンズ鏡筒
３ａ  回転軸
３ｂ  ストッパー
３ｃ  貼り付け場所
４  レンズ
５  バリア駆動部材
５ａ  カム面
５ｂ  当接部
５ｃ  突起部
５ｄ  バネ掛け
５ｅ  レール
６  バリア駆動バネ
６ａ  変局点
７  バリア羽根
７ａ  フック部
７ｂ  回転穴
７ｃ  支持部
７ｄ  段差部
７ｅ  羽根部
７ｆ  摺動部
７ｇ  閉じ駆動部を兼ねた摺動部
７ｈ  開き駆動部
８  バリア羽根
８ｂ  回転穴
８ｃ  支持部
８ｄ  段差部
８ｅ  羽根部
８ｆ  摺動部
８ｇ  閉じ接合部
８ｈ  抱き込み部
８ｉ  開き接合部
８ｊ  煽り止め
９  バリアカバー固定部材
１０  バリアカバー
１０ａ  撮影開口部
２１  バリア羽根
２１ａ  フック部
２１ｂ  回転穴
２１ｃ  支持部
２１ｄ  段差部
２１ｅ  羽根部
２１ｇ  閉じ駆動部
２１ｈ  開き駆動部
２２  バリア羽根
２２ｂ  回転穴
２２ｃ  支持部
２２ｄ  段差部
２２ｅ  羽根部
２２ｇ  閉じ接合部
２２ｉ  開き接合部
２３  バリア羽根
２３ｂ  回転穴
２３ｃ  支持部
２３ｄ  段差部
２３ｅ  羽根部
２３ｇ  閉じ接合部
２３ｉ  開き接合部
２４  開口部の一部
２５  レンズの外形
【図１】
0005762007.tif 000002
【図２】
0005762007.tif 000003
【図３】
0005762007.tif 000004
【図４】
0005762007.tif 000005
【図５】
0005762007.tif 000006
【図６】
0005762007.tif 000007
【図７】
0005762007.tif 000008
【図８】
0005762007.tif 000009
【図９】
0005762007.tif 000010
【図１０】
0005762007.tif 000011
【図１１】
0005762007.tif 000012